Podtech/llm-jp-corpus-v4-ja_patent huggingface dataset:
【手続補正書】
【提出日】平成27年7月16日(2015.7.16)
【手続補正１】
【補正対象書類名】明細書
【補正対象項目名】０００８
【補正方法】変更
【補正の内容】
【０００８】
ところで紙幣処理装置６０１は、例えば図２０に模式的な平面図を示すように、金融機関の窓口において、操作者ＯＰがカウンターＴＣを挟んで顧客ＣＳの方を向いた際に、当該操作者の右側又は左側に隣接するように設置されている。
【手続補正２】
【補正対象書類名】明細書
【補正対象項目名】０１０４
【補正方法】変更
【補正の内容】
【０１０４】
この紙幣受渡部８１０は、紙幣受渡部７１０と同様、紙幣受渡部６１０（図１９）に対し、前上方からの集積空間ＳＣに対する視認性や紙幣ＢＬの取出操作における操作性を高めることができるものの、やはり左右の上方からの視認性については何ら違いが無く、低いままであった。
【手続補正３】
【補正対象書類名】明細書
【補正対象項目名】０１１５
【補正方法】変更
【補正の内容】
【０１１５】
換言すれば、フレーム１２１は、第１の実施の形態におけるシャッタ２２の左側部２２Ｃ及び右側部２２Ｄから、シャッタ１２２の左側部１２２Ｃ及び右側部１２２Ｄに相当する部分をそれぞれ取り除き、残った部分を第１の実施の形態におけるフレーム２１の左側部２１Ｃ及び右側部２１Ｄにそれぞれ結合させたような形状となっている。
【手続補正４】
【補正対象書類名】明細書
【補正対象項目名】０１３５
【補正方法】変更
【補正の内容】
【０１３５】
このため紙幣受渡部１１０は、回動軸２３を中心としてシャッタ１２２を回動させる際、シャッタ１２２の回動に必要な空間を第１の実施の形態よりも小さく抑えることができ、これに伴い紙幣処理装置１の動作時に空けておくべき空間を縮小することができる。
【手続補正５】
【補正対象書類名】明細書
【補正対象項目名】０２３４
【補正方法】変更
【補正の内容】
【０２３４】
以上の構成によれば、第３の実施の形態による紙幣受渡部２１０は、フレーム２２１における集積空間ＳＣの傾斜上側、傾斜後側の上寄りの部分、並びに左右の側面のうち上側の約半分をシャッタ２２２及び第２シャッタ２４１により覆い、且つこれらを回動軸２３および回動軸２４２によりそれぞれ回動させるようにした。また紙幣受渡部２１０は、リンクレバー２６１の回動と連動して、ロックレバー２５１を回動させてロック状態又はロック解除状態に切り替えると共に、カム板２６５を介してシャッタ２２２を回動させるようにした。これにより紙幣受渡部２１０は、シャッタ２２２を閉塞状態とし且つロック機構部２５０をロック状態として、また第２シャッタ２４１を第２閉塞状態としたときに、集積空間ＳＣを周囲から遮蔽できる。また紙幣受渡部２１０は、リンクレバー２６１をリンクオープン方向Ｕ１へ回動させるだけで、ロック解除状態としてからシャッタ２２２を開放状態とし、このとき集積空間ＳＣに対する視認性を高めることができ、さらに操作者により第２シャッタ２４１を第２開放状態へ回動させて紙幣ＢＬの取出の際における操作性を高めることができる。
【手続補正６】
【補正対象書類名】明細書
【補正対象項目名】０２５４
【補正方法】変更
【補正の内容】
【０２５４】
またリンク機構部３６０は、リンクレバー３６１のリンクオープン方向Ｕ１への回動によりリンクポスト３６２を傾斜前方向ないし下方向へ移動させ、これに伴いスプリング３４３の作用により第２シャッタ３４１を開方向Ｓ１へ回動させる。
【手続補正７】
【補正対象書類名】明細書
【補正対象項目名】０２８５
【補正方法】変更
【補正の内容】
【０２８５】
以上の構成によれば、第４の実施の形態による紙幣受渡部３１０は、フレーム３２１における集積空間ＳＣの傾斜上側、傾斜後側の上寄りの部分、並びに左右の側面のうち上側の約半分をシャッタ３２２及び第２シャッタ３４１により覆い、且つこれらを回動軸２３および回動軸３４２によりそれぞれ回動させるようにした。また紙幣受渡部３１０は、リンクレバー３６１の回動と連動して、カム板３６５を介してシャッタ３２２を回動させ、第２シャッタ３４１の下面に対するリンクポスト３６２の当接箇所を移動させるようにした。これにより紙幣受渡部３１０は、シャッタ３２２を閉塞状態とし第２シャッタ３４１を第２閉塞状態としたときに、集積空間ＳＣを周囲から遮蔽できる。また紙幣受渡部３１０は、リンクレバー３６１をリンクオープン方向Ｕ１へ回動させるだけで、シャッタ３２２を開放状態にすると共に第２シャッタ３４１を第２開放状態にして、集積空間ＳＣに対する視認性を高めると共に紙幣ＢＬの取出の際における操作性を高めることができる。
【手続補正８】
【補正対象書類名】図面
【補正対象項目名】図２０
【補正方法】変更
【補正の内容】
【図２０】
2014112297.tif 000001
【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
投影リソグラフィシステムにより結像されるパターンのセットを設計する方法であって、前記パターンのセットは、少なくとも２つのパターンを含み、当該方法は、
予め定義されたパラメータに対して非線形形式で応答する少なくとも２つのパターンを使用することにより、前記予め定義されたパラメータに対する前記少なくとも２つのパターンの少なくとも２つの応答パラメータの複合応答が線形になるようにするステップを含む、方法。
【請求項２】
前記非線形形式は、２次形式である、請求項１に記載の方法。
【請求項３】
前記複合応答は、前記２つの応答パラメータの差である、請求項１又は２に記載の方法。
【請求項４】
前記予め定義されたパラメータは、ゼルニケ項である、請求項１から３の何れか一項に記載の方法。
【請求項５】
前記ゼルニケ項はコマ項を表し、前記パターンのセットは鏡面対称構造を有する、請求項４に記載の方法。
【請求項６】
前記ゼルニケ項は非点収差項を表し、前記パターンのセットは９０°回転した構造を有する、請求項４に記載の方法。
【請求項７】
前記予め定義されたパラメータは、スキャナパラメータである、請求項１から３の何れか一項に記載の方法。
【請求項８】
前記スキャナパラメータは、瞳適合パラメータである、請求項７に記載の方法。
【請求項９】
前記応答パラメータは、ＣＤ、パターンシフト、焦点シフト及び２つのフィーチャ間の間隔、のうち１つ以上を含む、請求項１から８の何れか一項に記載の方法。
【請求項１０】
実際のターゲットチップからのパターンのセットを使用するステップを含む、請求項１から９の何れか一項に記載の方法。
【請求項１１】
パターンごとに異なる重み付けを使用して線形の前記複合応答を生成するステップを含む、請求項１から１０の何れか一項に記載の方法。
【請求項１２】
前記２つのパターンは、対称である、請求項１から１１の何れか一項に記載の方法。
【請求項１３】
第一のパターンは、第二のパターンの反射である、請求項１から１２の何れか一項に記載の方法。
【請求項１４】
前記第二のパターンは、前記第一のパターンの回転である、請求項１３に記載の方法。
【請求項１５】
請求項１から１４の何れか一項に記載の方法をプロセッサに実行させるためのコンピュータプログラム。
【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
印刷ヘッドと、
前記印刷ヘッドを駆動する周辺回路と、
前記周辺回路を制御する制御部と、
電力を供給する電源ラインと、
前記電源ラインに接続されたキャパシターと、
前記電源ラインにおける電力低下を検出する検出部と、を備え、
前記制御部は、
前記キャパシターを介して前記電源ラインから電力の供給を受けて動作し、
前記検出部により前記電源ラインにおける電力低下が検出された場合に、前記周辺回路を動作させずに前記制御部の消費電力を増大させるように制御することを特徴とするプリンター。
【請求項２】
前記制御部はＣＰＵとメモリーを備え、前記検出部により前記電源ラインにおける電力低下が検出された場合に、少なくとも、前記ＣＰＵによる演算処理、又は前記メモリーへのアクセス、前記検出部へのアクセス、のいずれかを実行することにより、前記制御部の消費電力を増大させることを特徴とする請求項１記載のプリンター。
【請求項３】
前記検出部は、前記電源ラインに電圧低下を検出して検出信号を出力し、
前記制御部に対して前記検出部の検出信号が割り込み信号として入力されることを特徴とする請求項２記載のプリンター。
【請求項４】
前記制御部は、前記検出部から入力される割り込み信号を検出可能とする一方、他の処理を停止するスリープ状態に移行可能であり、前記スリープ状態において前記検出部から割り込み信号が入力された場合は前記スリープ状態から復帰して前記制御部の消費電力を増大させることを特徴とする請求項３記載のプリンター。
【請求項５】
印刷ヘッドと、前記印刷ヘッドを駆動する周辺回路と、前記周辺回路を制御する制御部と、電力を供給する電源ラインと、前記電源ラインに接続されたキャパシターと、前記電源ラインにおける電力低下を検出する検出部と、を備えるプリンターの制御方法であって、
前記キャパシターを介して前記電源ラインラインから電力を供給し、前記電源ラインにおける電力低下を検出した場合に、前記周辺回路を動作させずに前記制御部の消費電力を増大させること、
を特徴とするプリンターの制御方法。
【手続補正２】
【補正対象書類名】明細書
【補正対象項目名】発明の名称
【補正方法】変更
【補正の内容】
【発明の名称】プリンター、およびプリンターの制御方法
【手続補正３】
【補正対象書類名】明細書
【補正対象項目名】０００１
【補正方法】変更
【補正の内容】
【０００１】
本発明は、プリンター、プリンターの制御方法に関する。
【手続補正書】
【提出日】平成27年4月16日(2015.4.16)
【手続補正１】
【補正対象書類名】特許請求の範囲
【補正対象項目名】全文
【補正方法】変更
【補正の内容】
【特許請求の範囲】
【請求項１】
チョロギまたはその溶媒による抽出物を含む、脳血管性認知症の予防／改善のための組成物。
【請求項２】
溶媒が、４０℃を超える水である、請求項１に記載の組成物。
【請求項３】
抽出物が乾燥形態である、請求項１または２に記載の組成物。
【請求項４】
抽出物が濃縮されている、請求項１〜３のいずれか１項に記載の組成物。
【請求項５】
水による抽出の温度が、８０℃〜１００℃である、請求項２〜４のいずれか１項に記載の組成物。
【請求項６】
イチョウ葉エキスをさらに含む、請求項１〜５のいずれか１項に記載の組成物。
【請求項７】
請求項１〜６のいずれか１項に記載の組成物を含有する脳血管性認知症の予防／改善のための食品用配合剤。
【請求項８】
請求項７に記載の食品用配合剤が配合された食品。
【請求項９】
医薬である、請求項１〜６のいずれか１項に記載の組成物。
【請求項１０】
イチョウ葉エキスを含む、脳血管性認知症の予防／改善のための組成物。
【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
コンピュータに格納された光反射パターンの印字データをインクジェットプリンタに転送し、該インクジェットプリンタによって導光板の上下左右の縁部で囲まれた略矩形の印刷面に、光源から導光板の内部に出射される光を乱射させるための反射印刷を施し導光板を作成する方法であって、前記反射印刷を行うための印字データを、前記導光板の四方向の縁部に対応する四方向の縁部からそれぞれ対向する縁部の前方に位置して設定された高濃度設定ポイントに向けて印字の濃度が高くなるようにし、該高濃度設定ポイントを印字データの四方向の縁部の中の１つの光源配置用縁部の前方に位置して、互いに前後方向に所定の間隔を存して複数設け、前記高濃度設定ポイント間は谷の状態に濃度が変化するようにし、前記反射印刷を酸化チタンを含む白インクを使用して行うようにしたことを特徴とする導光板作成方法。
【請求項２】
前記複数の高濃度設定ポイントの中の光源配置用縁部に対向する反対側縁部に最も近い最後部の高濃度設定ポイントを、光源配置用縁部と該縁部に対向する反対側縁部間の距離を１としたとき、光源配置用縁部から距離１／２を越え１に満たない任意の位置に設定し、且つ残る２つの他の縁部間の略中央となるように設定したことを特徴とする請求項１に記載の導光板作成方法。
【請求項３】
光源配置用縁部と該縁部に対向する反対側縁部間に高濃度設定ポイントを複数設け、各高濃度設定ポイントを残る２つの他の縁部間の略中央となるように設定したことを特徴とする請求項１に記載の導光板作成方法。
【請求項４】
インクジェットプリンタと該プリンタに光反射パターンの印字データを転送するためのコンピュータとから成り、コンピュータに格納された光反射パターンの印字データをインクジェットプリンタに転送し、該インクジェットプリンタによって導光板の印刷面に、光源から導光板の内部に出射された光を乱射させるための反射印刷を酸化チタンを含む白インクを使用して施し、導光板を作成する装置であって、前記反射印刷を行うための印字データを、前記導光板の四方向の縁部に対応する四方向の縁部からそれぞれ対向する縁部の前方に位置して設定された高濃度設定ポイントに向けて印字の濃度が高くなるようにし、該高濃度設定ポイントを印字データの四方向の縁部の中の１つの光源配置用縁部の前方に位置して、互いに前後方向に所定の間隔を存して複数設け、前記高濃度設定ポイント間は谷の状態に濃度が変化するようにしたことを特徴とする導光板作成装置。
【請求項５】
前記複数の高濃度設定ポイントの中の光源配置用縁部に対向する反対側縁部に最も近い最後部の高濃度設定ポイントを、光源配置用縁部と該縁部に対向する反対側縁部間の距離を１としたとき、光源配置用縁部から距離１／２を越え1に満たない任意の位置に設定し、且つ残る２つの他の縁部間の略中央となるように設定したことを特徴とする請求項４に記載の導光板作成装置。
【請求項６】
光源配置用縁部と該縁部に対向する反対側縁部間に高濃度設定ポイントを複数設け、各高濃度設定ポイントを残る２つの他の縁部間の略中央となるように設定したことを特徴とする請求項４に記載の導光板作成装置。
【請求項７】
前記四方向の縁部から前記高濃度設定ポイントに向けて濃度が高くなる印字データのパターンがグラデーション処理により形成されるようにしたことを特徴とする請求項４に記載の導光板作成装置。
【請求項８】
前記印字データを、導光板に求められる理想的な輝度分布パターンを参照して作成したことを特徴とする請求項４に記載の導光板作成装置。
【請求項９】
前記白インクの酸化チタンの含有量の割合を１０％以下としたことを特徴とする請求項４に記載の導光板作成装置。
【請求項１０】
前記白インクに銅フタロシアニンを添加したことを特徴とする請求項４に記載の導光板作成装置。
【請求項１１】
前記インクジェットプリンタに、前記導光板の発光面の色温度を決定する複数種類の白インクを種類ごとにインクタンクに収納した白インク供給部を設け、前記インクジェットプリンタに複数個の記録ヘッドを設け、前記各記録ヘッドに前記インクタンクの中の１つをそれぞれ接続して、各記録ヘッドが互いに種類の異なる白インクを吐出できるように成し、前記インクジェットプリンタが前記導光板に前記反射印刷を形成して、選択した一種類または複数種類の白インクの組み合わせに対応する色温度を備えた導光板を作成するようにしたことを特徴とする請求項４に記載の導光板作成装置。
【請求項１２】
前記導光板の発光面の色温度を決定する複数種類の各白インクは、それぞれのインク中の酸化チタンの粒子径の分布が異なっていることを特徴とする請求項４に記載の導光板作成装置。
【請求項１３】
前記導光板の発光面の色温度を決定する複数種類の各白インクは、それぞれのインク中の酸化チタンの含有量が異なっていることを特徴とする請求項４に記載の導光板作成装置。
【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
装用者の眼球表面に整合するように形成された第1の面、及び前記第１の面に関して装用者の眼球と反対側で光が入射する側の第２の面とを有する、光学的に透明なレンズ本体と、
前記第２の面上に形成された遮光性の薄膜とを含み、
前記薄膜は、前記第２の面の周辺から所定距離までの周辺領域に形成された部分、及び前記周辺領域以外の中央領域に形成された部分に区分され、
前記薄膜の前記中央領域に形成された部分には、装用者の虹彩方向に光を透過させるための複数個のピンホールが形成されている、コンタクトレンズ。
【請求項２】
前記複数個のピンホールの幾何学的形状は互いに等しい、請求項１に記載のコンタクトレンズ。
【請求項３】
前記複数個のピンホールは、前記中央領域の中心に形成された第１のピンホールと、前記中央領域に、各々離隔して形成された複数個の第２のピンホールとからなる、請求項１又は請求項２に記載のコンタクトレンズ。
【請求項４】
前記複数個のピンホールはいずれも同じ大きさである、請求項２又は請求項３に記載のコンタクトレンズ。
【請求項５】
前記複数個のピンホールのうち、少なくとも２個のピンホールの大きさは互いに異なっている、請求項２又は請求項３に記載のコンタクトレンズ。
【請求項６】
前記複数個のピンホールは、格子点を形成しないような位置に配置されている、請求項１〜請求項５のいずれかに記載のコンタクトレンズ。
【請求項７】
前記複数個のピンホールはいずれも円形である、請求項２〜請求項６のいずれかに記載のコンタクトレンズ。
【請求項８】
前記レンズ本体の一部は、装用時にレンズが不必要に回転しないように、他の領域よりも厚く形成された領域であって、乱視軸に対する基準軸を規定する基準領域をなしており、
前記複数個のピンホールは、楕円形又は角を丸めた長方形であり、かつ前記複数個のピンホールの長軸が前記基準領域により規定される前記基準軸に対して所定の関係を満たすように配置されている、請求項１〜請求項６のいずれかに記載のコンタクトレンズ。
【請求項９】
前記複数個のピンホールの各々は、当該ピンホールの長軸を延長した直線が前記基準軸と±５度の範囲内の角度で交わるように配置されている、請求項８に記載のコンタクトレンズ。
【請求項１０】
前記複数個のピンホールは、各ピンホールの長軸を延長した直線の平均、又は各ピンホールの短軸を延長した直線の平均と、前記基準軸とが一致するように配置されている、請求項８又は請求項９に記載のコンタクトレンズ。
【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
コンテンツの作成者と前記コンテンツの配信を要求する要求者との関係を示す作成者関係情報、および前記コンテンツに含まれる被利用者と前記要求者との関係を示す被利用者関係情報の少なくともいずれかに基づいて、前記コンテンツの公開レベルを特定する情報を取得する公開レベル取得部と、
前記公開レベル取得部により取得された公開レベルの情報に基づいて、前記コンテンツを改変する改変部と
を含む情報処理装置。
【請求項２】
前記公開レベル取得部は、
前記作成者関係情報に応じた、前記作成者による前記コンテンツの公開レベルを特定する作成者公開レベル管理情報と、
前記被利用者関係情報に応じた、前記被利用者による前記コンテンツの公開レベルを特定する被利用者公開レベル管理情報とを取得する
請求項１に記載の情報処理装置。
【請求項３】
前記公開レベルが高いほど、前記コンテンツはオリジナルに近い状態のまま公開され、
前記改変部は、前記作成者関係情報および前記被利用者関係情報の両者に基づいて公開レベルを特定する場合、前記作成者関係情報に応じて特定された、前記作成者による前記コンテンツの公開レベルと、前記被利用者関係情報に応じて特定された前記被利用者による前記コンテンツの公開レベルとの比較により、より公開レベルの低いものを前記両者に基づいた公開レベルとして、前記コンテンツを改変する
請求項１または２に記載の情報処理装置。
【請求項４】
前記作成者公開レベル管理情報を記憶する作成者公開レベル管理情報記憶部と、
前記被利用者公開レベル管理情報を記憶する被利用者公開レベル管理情報記憶部とをさらに含み、
前記作成者公開レベル管理情報記憶部は、前記作成者の所有する情報処理端末から前記コンテンツがアップロードされる際、前記作成者の所有する情報処理端末に対して、前記作成者公開レベル管理情報の作成を要求する情報が送信され、前記要求に応じて返信されてくる前記作成者公開レベル管理情報を、前記コンテンツに対応付けて記憶し、
前記被利用者公開レベル管理情報記憶部は、前記コンテンツに含まれる被利用者を認識し、前記作成者の所有する情報処理端末から前記コンテンツがアップロードされる際、認識された被利用者の情報処理端末に対して、前記被利用者公開レベル管理情報の作成を要求する情報が送信され、前記要求に応じて返信されてくる前記被利用者公開レベル管理情報を、前記コンテンツに対応付けて記憶する
請求項１または２に記載の情報処理装置。
【請求項５】
前記作成者、前記要求者、および前記被利用者の相互の関係を示す関係情報を記憶する関係情報記憶部と、
前記関係情報記憶部に記憶されている前記関係情報に基づいて、前記作成者関係情報、および前記被利用者関係をそれぞれスコア化するスコア化部とを含み、
前記関係情報をスコア化したスコアは、前記関係の親密度に応じたものであり、
前記作成者公開レベル管理情報は、前記作成者関係情報がスコア化されたスコアに応じた、前記作成者による前記コンテンツの公開レベルを示す情報であり、
前記被利用者公開レベル管理情報は、前記被利用者関係情報がスコア化されたスコアに応じた、前記被利用者による前記コンテンツの公開レベルを示す情報であり、
前記改変部は、前記作成者関係情報、および前記被利用者関係情報のそれぞれのスコアに応じた、前記コンテンツの公開レベルの情報に基づいて、前記コンテンツを改変する
請求項１または２に記載の情報処理装置。
【請求項６】
前記改変部は、前記公開レベルが高いほど、前記コンテンツをオリジナルに近い状態に改変し、前記公開レベルが低いほど前記コンテンツを前記要求者が認識し難い状態に改変する
請求項１乃至３のいずれかに記載の情報処理装置。
【請求項７】
前記コンテンツは、画像、動画、音声、およびテキストを含み、
前記改変部は、前記公開レベルが低くなるほど、前記コンテンツを低ビットレート化、縮小化、またはトリミングすることで改変し、前記公開レベルが低いほど前記コンテンツを前記要求者が認識し難い状態に改変する
請求項１乃至３のいずれかに記載の情報処理装置。
【請求項８】
前記公開レベル取得部により取得された公開レベルの情報に基づいて、前記コンテンツに付帯するメタデータを改変するメタデータ改変部をさらに含む
請求項１乃至７のいずれかに記載の情報処理装置。
【請求項９】
前記要求者により前記コンテンツの配信が要求される場合、前記配信が要求されたコンテンツの公開レベルの指定があったとき、指定のあった前記公開レベルを許可するか否かについて、前記作成者、および前記被利用者の少なくともいずれかに問合せる問合部をさらに含み、
前記問合部からの問合せに応じて、前記作成者、および前記被利用者より応答があったとき、前記改変部は、前記応答に基づいた公開レベルの情報に基づいてコンテンツを改変する
請求項１乃至８のいずれかに記載の情報処理装置。
【請求項１０】
コンテンツの作成者と前記コンテンツの配信を要求する要求者との関係を示す作成者関係情報、および前記コンテンツに含まれる被利用者と前記要求者との関係を示す被利用者関係情報の少なくともいずれかに基づいて、前記コンテンツの公開レベルを特定する情報を取得する公開レベル取得処理と、
前記公開レベル取得処理により取得された公開レベルの情報に基づいて、前記コンテンツを改変する改変処理と
を含む情報処理方法。
【請求項１１】
コンテンツの作成者と前記コンテンツの配信を要求する要求者との関係を示す作成者関係情報、および前記コンテンツに含まれる被利用者と前記要求者との関係を示す被利用者関係情報の少なくともいずれかに基づいて、前記コンテンツの公開レベルを特定する情報を取得する公開レベル取得ステップと、
前記公開レベル取得ステップの処理により取得された公開レベルの情報に基づいて、前記コンテンツを改変する改変ステップと
を含む処理をコンピュータに実行させるためのプログラム。
【手続補正２】
【補正対象書類名】明細書
【補正対象項目名】０１８５
【補正方法】削除
【補正の内容】
【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
画像を入力する入力手段と、
前記入力手段により入力された入力画像に対する変形処理であって、除算を伴う変形処理のための変形パラメータを取得する取得手段と、
前記除算における許容誤差と、前記入力画像の座標情報により特定される前記除算における除数とに応じて、前記取得手段により取得された変形パラメータを変更する調整手段と、
前記調整手段による変更後の変形パラメータを用いて前記入力画像に対する変形処理を実行する処理手段とを有することを特徴とする画像処理装置。
【請求項２】
前記調整手段は、
前記入力画像を構成する画素の座標情報を用いて、前記除算における除数の最小値と最大値とを算出する除数算出手段と、
前記除算における除数と誤差との関係から、当該除算の結果が許容誤差以下となるための除数の範囲を求め、前記範囲の最小値を前記除数算出手段で算出された前記除数の最小値で除算した結果を正規化パラメータとして算出する係数算出手段と、を有し、
前記取得手段により取得された変形パラメータに対して前記正規化パラメータを乗じることで前記変形パラメータを変更することを特徴とする請求項１に記載の画像処理装置。
【請求項３】
前記処理手段は、前記変更後の変形パラメータを用いて前記入力画像の座標情報を変換処理し、当該変換処理によって得られた変換座標の画素値を補間処理によって求めることで、前記変形処理を実行することを特徴とする請求項１又は２に記載の画像処理装置。
【請求項４】
前記座標情報の変換には射影変換が含まれることを特徴とする請求項３に記載の画像処理装置。
【請求項５】
前記係数算出手段は、前記除算における除数の最大値に対して前記正規化パラメータを乗じた値が前記除数の範囲の最大値を超えるか否かを判定し、前記除数の範囲の最大値を超えない場合に、前記正規化パラメータを前記変形パラメータの変更のために用いることを特徴とする請求項２に記載の画像処理装置。
【請求項６】
画像を入力する入力工程と、
前記入力工程により入力された入力画像に対する変形処理であって、除算を伴う変形処理のための変形パラメータを取得する取得工程と、
前記除算における許容誤差と、前記入力画像の座標情報により特定される前記除算における除数とに応じて、前記取得工程により取得された変形パラメータを変更する調整工程と、
前記調整工程による変更後の変形パラメータを用いて前記入力画像に対する変形処理を実行する処理工程とを有することを特徴とする画像処理方法。
【請求項７】
前記調整工程は、
前記入力画像を構成する画素の座標情報を用いて、前記除算における除数の最小値と最大値とを算出する除数算出工程と、
前記除算における除数と誤差との関係から、当該除算の結果が許容誤差以下となるための除数の範囲を求め、前記範囲の最小値を前記除数算出工程で算出された前記除数の最小値で除算した結果を正規化パラメータとして算出する係数算出工程と、を有し、
前記取得工程により取得された変形パラメータに対して前記正規化パラメータを乗じることで前記変形パラメータを変更することを特徴とする請求項６に記載の画像処理方法。
【請求項８】
前記処理工程は、前記変更後の変形パラメータを用いて前記入力画像の座標情報を変換処理し、当該変換処理によって得られた変換座標の画素値を補間処理によって求めることで、前記変形処理を実行することを特徴とする請求項６又は７に記載の画像処理方法。
【請求項９】
コンピュータを、請求項１乃至５のうち、何れか１項に記載の画像処理装置の各手段として機能させるためのプログラム。
【手続補正２】
【補正対象書類名】明細書
【補正対象項目名】０００９
【補正方法】変更
【補正の内容】
【０００９】
上記の目的を達成する本発明の一つの側面に係る画像処理装置は、
画像を入力する入力手段と、
前記入力手段により入力された入力画像に対する変形処理であって、除算を伴う変形処理のための変形パラメータを取得する取得手段と、
前記除算における許容誤差と、前記入力画像の座標情報により特定される前記除算における除数とに応じて、前記取得手段により取得された変形パラメータを変更する調整手段と、
前記調整手段による変更後の変形パラメータを用いて前記入力画像に対する変形処理を実行する処理手段とを有することを特徴とする。
【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
対象物体を含んだ画像を取得する画像取得工程と、
前記画像を拡大または縮小して、階層画像を生成する階層画像生成工程と、
前記階層画像に基づいて、前記対象物体の少なくとも一部の領域を第一検出領域として検出する第一検出工程と、
前記第一検出領域に基づいて、第一推定領域を推定する第一推定工程と、
前記第一推定領域に基づいて、前記階層画像の階層を限定する階層限定工程と、
前記階層限定工程によって限定された階層の階層画像において、前記対象物体の少なくとも一部の領域を第二検出領域として検出する第二検出工程と、
前記第二検出領域に基づいて、第二推定領域を推定する第二推定工程と、
前記第一推定工程で推定された第一推定領域と、前記第二推定工程で推定された第二推定領域とを統合する統合工程を有する物体検出方法。
【請求項２】
前記統合工程は、前記第一推定領域と、前記第二推定領域の重なり率に基づいて、前記第一推定領域と第二推定領域とを統合することを特徴とする請求項１に記載の物体検出方法。
【請求項３】
前記第一検出工程および、前記第二検出工程は、少なくとも１以上の前記対象物体のモデルを用いて、検出を行うことを特徴とする請求項１または２に記載の物体検出方法。
【請求項４】
前記第一推定工程は、前記第一検出領域の座標・サイズに基づいて、前記第一推定領域を推定することを特徴とする請求項１乃至３のいずれか１項に記載の物体検出方法。
【請求項５】
前記第二推定工程は、前記第二検出領域の検出結果の座標・サイズに基づいて、前記第二推定領域を推定することを特徴とする請求項１乃至４のいずれか１項に記載の物体検出方法。
【請求項６】
前記階層限定工程は、前記第一検出工程の検出結果の位置と、前記第二検出工程で用いられるモデルのサイズに基づいて、前記第二検出工程で行う検出処理の処理範囲を限定することを特徴とする前記請求項１乃至５に記載の物体検出方法。
【請求項７】
前記第一検出工程は、頭部を含んだ領域を検出することを特徴とする請求項１乃至６のいずれか１項に記載の物体検出方法。
【請求項８】
前記第二検出工程は、人体を検出することを特徴とする請求項１乃至７のいずれか１項に記載の物体検出方法。
【請求項９】
対象物体を含んだ画像を取得する画像取得手段と、
前記画像を拡大または縮小して、階層画像を生成する階層画像生成手段と、
前記階層画像に基づいて、前記対象物体の少なくとも一部の領域を検出する第一検出手段と、
前記第一検出手段で検出された第一検出領域に基づいて、第一特定パーツ領域を推定する第一推定手段と、
前記第一推定領域に基づいて、前記階層画像の階層を限定する階層限定手段と、
前記階層限定手段によって限定された階層の階層画像において、前記対象物体の少なくとも一部の領域を検出する第二検出手段と、
前記第二検出手段で検出された第二検出領域に基づいて、第二推定領域を推定する第二推定手段と、
前記第一推定手段で推定された第一推定領域と、前記第二推定手段で推定された第二推定領域とを統合する統合手段を有する物体検出装置。
【請求項１０】
請求項１乃至８の何れか１項に記載された物体検出方法をコンピュータに実行させるためのプログラム。
【手続補正２】
【補正対象書類名】明細書
【補正対象項目名】０００７
【補正方法】変更
【補正の内容】
【０００７】
本発明の目的を達成するために、例えば、本発明の物体検出方法は、対象物体を含んだ画像を取得する画像取得工程と、前記画像を拡大または縮小して、階層画像を生成する階層画像生成工程と、前記階層画像に基づいて、前記対象物体の少なくとも一部の領域を第一検出領域として検出する第一検出工程と、前記第一検出領域に基づいて、第一推定領域を推定する第一推定工程と、前記第一推定領域に基づいて、前記階層画像の階層を限定する階層限定工程と、前記階層限定工程によって限定された階層の階層画像において、前記対象物体の少なくとも一部の領域を第二検出領域として検出する第二検出工程と、前記第二検出領域に基づいて、第二推定領域を推定する第二推定工程と、前記第一推定工程で推定された第一推定領域と、前記第二推定工程で推定された第二推定領域とを統合する統合工程を有する。
【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
入力画像から物体の第１の部分を検出する第１の検出手段と、
前記入力画像から前記物体の第１の部分とは異なる第２の部分を検出する第２の検出手段と、
前記第１の検出手段により前記第１の部分が検出された場合に、当該第１の部分に基づいて前記物体の第１、第２の部分とは異なる第３の部分を推定する第１の推定手段と、
前記第２の検出手段により前記第２の部分が検出された場合に、当該第２の部分に基づいて前記第３の部分を推定する第２の推定手段と、
前記第１及び第２の推定手段のそれぞれにより推定された前記第３の部分が一致しているかを判断する判断手段と、
前記判断手段が一致していると判断した場合、前記第１または第２の検出手段の検出結果、前記第１または第２の推定手段の推定結果の少なくとも１つに基づいて、前記物体の検出結果を出力する出力手段と
を備えることを特徴とする物体検出装置。
【請求項２】
前記出力手段は前記第１および第２の検出手段の検出結果を統合して出力することを特徴とする請求項１に記載の物体検出装置。
【請求項３】
前記第１および第２の検出手段は、前記物体の位置と大きさとを検出することを特徴とする請求項１に記載の物体検出装置。
【請求項４】
前記第１および第２の検出手段は、それぞれの検出結果とともに、当該検出結果の尤度を表すスコアを算出して出力することを特徴とする請求項１に記載の物体検出装置。
【請求項５】
前記出力手段は、前記第１および第２の検出手段のそれぞれが算出したスコアの線形和を出力することを特徴とする請求項４に記載の物体検出装置。
【請求項６】
前記第１および第２の検出手段の出力するスコアの少なくとも一方を前記第１および第２の推定手段の信頼度に基づいて補正する補正手段を有することを特徴とする請求項４に記載の物体検出装置。
【請求項７】
前記第１および第２の検出手段は、補正された前記スコアが所定値以上の検出結果を出力することを特徴とする請求項６に記載の物体検出装置。
【請求項８】
前記出力手段は、前記補正手段による補正後のスコアの線形和を出力することを特徴とする請求項６に記載の物体検出装置。
【請求項９】
前記第３の部分は前記第１の部分に含まれ、前記第２の部分は前記第３の部分に含まれることを特徴とする請求項１から８のいずれか１項に記載の物体検出装置。
【請求項１０】
前記物体は人体であり、前記第１の検出手段は人体の全身を検出し、前記第２の検出手段は顔を検出することを特徴とする請求項９に記載の物体検出装置。
【請求項１１】
前記第１および第２の推定手段は、前記人体の頭部を推定することを特徴とする請求項１０に記載の物体検出装置。
【請求項１２】
前記判断手段は、前記第１および第２の推定手段により推定された前記第３の部分の重複率に基づいて、前記第１及び第２の推定手段のそれぞれにより推定された前記第３の部分が一致しているかを判断することを特徴とする請求項１から１１のいずれか１項に記載の物体検出装置。
【請求項１３】
前記第２の検出手段は複数の第２の部分を検出し、前記第２の推定手段は当該複数の第２の部分のそれぞれから第３の部分を推定し、前記判断手段は当該それぞれの第３の部分について前記第１の推定手段により推定した第３の部分との重複度を算出し、前記出力手段は、当該重複度が前記閾値以上で最も高い第３の部分を推定するために用いた第２の部分を出力することを特徴とする請求項１２に記載の物体検出装置。
【請求項１４】
入力画像から物体の第１の部分を検出する第１の検出工程と、
前記入力画像から前記物体の第１の部分とは異なる第２の部分を検出する第２の検出工程と、
前記第１の検出工程で前記第１の部分が検出された場合に、当該第１の部分に基づいて前記物体の第３の部分を推定する第１の推定工程と、
前記第２の検出工程で前記第２の部分が検出された場合に、当該第２の部分に基づいて前記第１、第２の部分とは異なる第３の部分を推定する第２の推定工程と、
前記第１及び第２の推定工程のそれぞれにより推定された前記第３の部分が一致しているかを判断する判断工程と、
前記判断工程で一致していると判断した場合、前記第１または第２の検出工程の検出結果、前記第１または第２の推定工程の推定結果の少なくとも１つに基づいて、前記物体の検出結果を出力する出力工程と
を備えることを特徴とする物体検出方法。
【請求項１５】
コンピュータに、請求項１４に記載の物体検出方法を実行させることを特徴とするコンピュータ読み取り可能なプログラム。
【手続補正２】
【補正対象書類名】明細書
【補正対象項目名】０００８
【補正方法】変更
【補正の内容】
【０００８】
上記課題を解決するために、本発明によれば、入力画像から物体の第１の部分を検出する第１の検出手段と、前記入力画像から前記物体の第１の部分とは異なる第２の部分を検出する第２の検出手段と、前記第１の検出手段により前記第１の部分が検出された場合に、当該第１の部分に基づいて前記物体の第１、第２の部分とは異なる第３の部分を推定する第１の推定手段と、前記第２の検出手段により前記第２の部分が検出された場合に、当該第２の部分に基づいて前記第３の部分を推定する第２の推定手段と、前記第１及び第２の推定手段のそれぞれにより推定された前記第３の部分が一致しているかを判断する判断手段と、前記判断手段が一致していると判断した場合、前記第１または第２の検出手段の検出結果、前記第１または第２の推定手段の推定結果の少なくとも１つに基づいて、前記物体の検出結果を出力する出力手段とを備える。
【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
Ｗｅｂブラウザーを動作させるブラウザー制御部、及び前記Ｗｅｂブラウザーで動作するスクリプトまたはプラグインを用いて印刷制御装置に対してＨＴＴＰにより空印刷データを送信する空印刷データ送信部を有するホストと、
印刷を行う印刷装置と、
ＨＴＴＰサーバー、前記ホストから送信された前記空印刷データに前記印刷装置の状態を取得する状態取得コマンドを付加して空印刷コマンドを生成するコマンド生成部、前記空印刷コマンドを前記印刷装置に送信するコマンド送信部、前記印刷装置から前記空印刷コマンドに対する応答を取得する応答取得部、及び前記空印刷コマンドに対する応答を前記ホストに返信する応答返信部を有する印刷制御装置と、
を備えることを特徴とする印刷システム。
【請求項２】
前記コマンド生成部は、前記空印刷データの後に前記状態取得コマンドを付加し、前記空印刷データの前に初期化コマンドを付加して、前記空印刷コマンドを生成する請求項１に記載の印刷システム。
【請求項３】
前記印刷装置は、バッファーを有し、
前記印刷制御装置は、
前記空印刷コマンドに対する応答から前記印刷装置が印刷不可能な状態であると判定した場合、印刷中止処理を行う印刷中止処理部を有し、
前記印刷中止処理は、前記印刷装置の前記バッファーをクリアにするバッファークリアコマンドを前記印刷装置に送信する処理を含む請求項１に記載の印刷システム。
【請求項４】
前記空印刷データ送信部は、前記印刷制御装置に対し、予め定められたタイミングで前記空印刷データを送信する請求項１に記載の印刷システム。
【請求項５】
前記空印刷データは、マークアップ言語で記述され、
前記印刷制御装置は、
マークアップスキーマにより、前記空印刷データの妥当性を検証する妥当性検証部を備え、
前記印刷中止処理部は、前記妥当性検証部により不正な印刷データであると判定された場合、前記印刷中止処理を行う請求項３に記載の印刷システム。
【請求項６】
Ｗｅｂブラウザーで動作するスクリプトまたはプラグインを用いてホストから送信された空印刷データを、ＨＴＴＰサーバーを有する印刷制御装置で受信し、
前記印刷制御装置で前記ホストから送信された前記空印刷データに、印刷装置の状態を取得する状態取得コマンドを付加して空印刷コマンドを生成し、
前記空印刷コマンドを、前記印刷装置に送信し、
前記印刷装置から、前記空印刷コマンドに対する応答を取得し、
前記空印刷コマンドに対する応答を、前記ホストに返信することを特徴とする印刷システムの制御方法。
【手続補正２】
【補正対象書類名】明細書
【補正対象項目名】０００７
【補正方法】変更
【補正の内容】
【０００７】
本発明の印刷システムは、Ｗｅｂブラウザーを動作させるブラウザー制御部、及びＷｅｂブラウザーで動作するスクリプトまたはプラグインを用いて印刷制御装置に対してＨＴＴＰにより空印刷データを送信する空印刷データ送信部を有するホストと、印刷を行う印刷装置と、ＨＴＴＰサーバー、ホストから送信された空印刷データに印刷装置の状態を取得する状態取得コマンドを付加して空印刷コマンドを生成するコマンド生成部、空印刷コマンドを印刷装置に送信するコマンド送信部、印刷装置から空印刷コマンドに対する応答を取得する応答取得部、及び空印刷コマンドに対する応答をホストに返信する応答返信部を有する印刷制御装置と、を備えることを特徴とする。
上記の印刷システムにおいて、コマンド生成部は、空印刷データの後に状態取得コマンドを付加し、空印刷データの前に初期化コマンドを付加して、空印刷コマンドを生成することを特徴とする。
上記の印刷システムにおいて、印刷装置は、バッファーを有し、印刷制御装置は、空印刷コマンドに対する応答から印刷装置が印刷不可能な状態であると判定した場合、印刷中止処理を行う印刷中止処理部を有し、印刷中止処理は、印刷装置のバッファーをクリアにするバッファークリアコマンドを印刷装置に送信する処理を含むことを特徴とする。
上記の印刷システムにおいて、空印刷データ送信部は、印刷制御装置に対し、予め定められたタイミングで空印刷データを送信することを特徴とする。
上記の印刷システムにおいて、空印刷データは、マークアップ言語で記述され、印刷制御装置は、マークアップスキーマにより、空印刷データの妥当性を検証する妥当性検証部を備え、印刷中止処理部は、妥当性検証部により不正な印刷データであると判定された場合、印刷中止処理を行うことを特徴とする。
本発明の印刷システムの制御方法は、Ｗｅｂブラウザーで動作するスクリプトまたはプラグインを用いてホストから送信された空印刷データを、ＨＴＴＰサーバーを有する印刷制御装置で受信し、印刷制御装置でホストから送信された空印刷データに、印刷装置の状態を取得する状態取得コマンドを付加して空印刷コマンドを生成し、空印刷コマンドを、印刷装置に送信し、印刷装置から、空印刷コマンドに対する応答を取得し、空印刷コマンドに対する応答を、ホストに返信することを特徴とする。
なお、以下の構成としても良い。
本発明の印刷システムは、Ｗｅｂブラウザーを動作させるブラウザー制御部、及びＷｅｂブラウザーで動作するスクリプトまたはプラグインを用いて印刷制御装置に対してＨＴＴＰにより空印刷データを送信する空印刷データ送信部を有するホストと、印刷を行う印刷装置と、ＨＴＴＰサーバー、ホストから送信された空印刷データに印刷装置の状態を取得する状態取得コマンドを付加して空印刷コマンドを生成するコマンド生成部、空印刷コマンドを印刷装置に送信するコマンド送信部、印刷装置から空印刷コマンドに対する応答を取得する応答取得部、及び空印刷コマンドに対する応答をホストに返信する応答返信部を有する印刷制御装置と、を備えたことを特徴とする。
【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
ホストから、マークアップ言語で記述された印刷データを受信する印刷データ受信部と、
前記印刷データの前に、初期化コマンドを付加して印刷指示コマンドを生成するコマンド生成部と、
前記印刷指示コマンドを、印刷装置に送信するコマンド送信部と、
を備えることを特徴とする印刷制御装置。
【請求項２】
前記コマンド生成部は、前記印刷データの後に、前記印刷装置の状態を取得する状態取得コマンドを付加して前記印刷指示コマンドを生成し、
前記印刷装置から、前記印刷指示コマンドに対する応答を取得する応答取得部と、
前記応答に基づく印刷結果を、前記ホストに返信する応答返信部と、
を備える請求項１に記載の印刷制御装置。
【請求項３】
前記初期化コマンドは、前記印刷装置が返信するステータスを有効にする有効コマンドを含み、
前記応答取得部は、前記印刷指示コマンドの送信から前記応答を受信するまでの間、前記印刷装置から送信されるステータスを取得し、
前記応答返信部は、前記印刷結果と前記応答取得部が取得したステータスとを、前記ホストに返信する請求項２に記載の印刷制御装置。
【請求項４】
前記コマンド生成部は、前記ホストから前記印刷データが送信されたとき、前記印刷指示コマンドの生成前に、空印刷データの後に前記状態取得コマンドを付加した印刷前コマンドを生成し、
前記コマンド送信部は、前記印刷前コマンドを、前記印刷装置に送信し、
前記応答取得部で取得した前記印刷前コマンドに対する応答から、前記印刷装置が印刷不可能な状態であると判定した場合、印刷中止処理を行う印刷中止処理部を備え、
前記印刷中止処理は、前記ホストに通知する処理と、前記印刷装置への前記印刷指示コマンドの送信を中止する処理を含む請求項３に記載の印刷制御装置。
【請求項５】
前記ホストは、Ｗｅｂブラウザーを動作させるブラウザー制御部を備え、
前記印刷制御装置は、ＨＴＴＰサーバーを備え、
前記ホストは、
前記Ｗｅｂブラウザーで動作するスクリプトまたはプラグインを用いて前記印刷データを生成し、前記印刷制御装置に対してＨＴＴＰによる印刷要求を行う請求項１ないし４のいずれか１項に記載の印刷制御装置。
【請求項６】
マークアップスキーマにより、前記印刷データの妥当性を検証する妥当性検証部を備え、
前記印刷中止処理部は、前記妥当性検証部により不正な印刷データであると判定された場合、前記印刷中止処理を行う請求項４に記載の印刷制御装置。
【請求項７】
マークアップ言語で記述された印刷データを送信する第１のホストと、
マークアップ言語で記述された印刷データを送信する第２のホストと、
前記第１のホストおよび前記第２のホストから送信された印刷データの印刷を行う印刷装置と、
前記第１のホストおよび前記第２のホストから前記印刷データを受信する印刷データ受信部、前記印刷データの前に初期化コマンドを付加して印刷指示コマンドを生成するコマンド生成部、および前記印刷指示コマンドを前記印刷装置に送信するコマンド送信部を有する印刷制御装置と、
を備えることを特徴とする印刷システム。
【請求項８】
印刷制御装置でホストからマークアップ言語で記述された印刷データを受信し、
前記印刷データの前に、初期化コマンドを付加して印刷指示コマンドを生成し、
前記印刷指示コマンドを、印刷装置に送信することを特徴とする印刷制御方法。
【手続補正２】
【補正対象書類名】明細書
【補正対象項目名】０００６
【補正方法】変更
【補正の内容】
【０００６】
本発明の印刷制御装置は、ホストから、マークアップ言語で記述された印刷データを受信する印刷データ受信部と、印刷データの前に、初期化コマンドを付加して印刷指示コマンドを生成するコマンド生成部と、印刷指示コマンドを、印刷装置に送信するコマンド送信部と、を備えることを特徴とする。
上記の印刷制御装置において、コマンド生成部は、印刷データの後に、印刷装置の状態を取得する状態取得コマンドを付加して印刷指示コマンドを生成し、印刷装置から、印刷指示コマンドに対する応答を取得する応答取得部と、応答に基づく印刷結果を、ホストに返信する応答返信部と、を備えることを特徴とする。
上記の印刷制御装置において、初期化コマンドは、印刷装置が返信するステータスを有効にする有効コマンドを含み、応答取得部は、印刷指示コマンドの送信から応答を受信するまでの間、印刷装置から送信されるステータスを取得し、応答返信部は、印刷結果と応答取得部が取得したステータスとを、ホストに返信することを特徴とする。
上記の印刷制御装置において、コマンド生成部は、ホストから印刷データが送信されたとき、印刷指示コマンドの生成前に、空印刷データの後に状態取得コマンドを付加した印刷前コマンドを生成し、コマンド送信部は、印刷前コマンドを、印刷装置に送信し、応答取得部で取得した印刷前コマンドに対する応答から、印刷装置が印刷不可能な状態であると判定した場合、印刷中止処理を行う印刷中止処理部を備え、印刷中止処理は、ホストに通知する処理と、印刷装置への印刷指示コマンドの送信を中止する処理を含むことを特徴とする。
上記の印刷制御装置において、ホストは、Ｗｅｂブラウザーを動作させるブラウザー制御部を備え、印刷制御装置は、ＨＴＴＰサーバーを備え、ホストは、Ｗｅｂブラウザーで動作するスクリプトまたはプラグインを用いて印刷データを生成し、印刷制御装置に対してＨＴＴＰによる印刷要求を行うことを特徴とする。
上記の印刷制御装置において、マークアップスキーマにより、印刷データの妥当性を検証する妥当性検証部を備え、印刷中止処理部は、妥当性検証部により不正な印刷データであると判定された場合、印刷中止処理を行うことを特徴とする。
本発明の印刷システムは、マークアップ言語で記述された印刷データを送信する第１のホストと、マークアップ言語で記述された印刷データを送信する第２のホストと、第１のホストおよび第２のホストから送信された印刷データの印刷を行う印刷装置と、第１のホストおよび第２のホストから印刷データを受信する印刷データ受信部、印刷データの前に初期化コマンドを付加して印刷指示コマンドを生成するコマンド生成部、および印刷指示コマンドを印刷装置に送信するコマンド送信部を有する印刷制御装置と、を備えることを特徴とする。
本発明の印刷制御方法は、印刷制御装置でホストからマークアップ言語で記述された印刷データを受信し、印刷データの前に、初期化コマンドを付加して印刷指示コマンドを生成し、印刷指示コマンドを、印刷装置に送信することを特徴とする。
なお、以下の構成としても良い。
本発明の印刷制御装置は、ホストから、マークアップ言語で記述された印刷データを受信する印刷データ受信部と、印刷データの前に、初期化コマンドを付加して印刷指示コマンドを生成するコマンド生成部と、印刷指示コマンドを、印刷装置に送信するコマンド送信部と、を備えたことを特徴とする。